【手続補正書】
【提出日】平成17年7月25日(2005.7.25)
【手続補正１】
【補正対象書類名】特許請求の範囲
【補正対象項目名】全文
【補正方法】変更
【補正の内容】
【特許請求の範囲】
【請求項１】
燃料電池システムであって、
少なくとも２つの燃料電池構造を備える燃料電池スタックであって、各燃料電池構造は一対の燃料電池を備える、燃料電池スタックと、
各燃料電池構造について、スイッチング端子、第１の端子および第２の端子を備え、該燃料電池構造にかかる電圧に応答するように接続される各トラジンスタと、
各燃料電池構造について、第１の端子および第２の端子を含む出力ならびにスイッチング端子を含む入力を有する燃料電池対オプトアイソレータであって、該第１の端子は、グランドに接続され、該第２の端子は、グランドに対してポジティブであるポジティブ基準電圧に接続され、該スイッチング端子は、該トランジスタの該第２の端子と各燃料電池構造の最低電圧より小さい電圧を有するネガティブ基準電圧との間に接続された、燃料電池対オプトアイソレータと
を備える、燃料電池システム。
【請求項２】
各燃料電池構造について、各燃料電池構造の各燃料電池対オプトアイソレータの出力のＡＮＤ演算を行う燃料電池構造ＡＮＤ回路をさらに備える、請求項１に記載の燃料電池システム。
【請求項３】
各燃料電池構造について、第１の端子および第２の端子を含む出力ならびにスイッチング端子を含む入力を有する各燃料電池構造オプトアイソレータをさらに備え、各燃料電池構造について、各燃料電池対オプトアイソレータの出力は、互いに直列に接続され、各燃料電池構造オプトアイソレータの該スイッチング端子を通るネガティブ基準電圧に接続され、各燃料電池構造オプトアイソレータの出力は互いに直列に接続される、請求項１に記載の燃料電池システム。
【請求項４】
各燃料電池構造について、該各燃料電池構造の各燃料電池対オプトアイソレータの出力のＡＮＤ演算を行う燃料電池構造ＡＮＤ回路と、
各燃料電池構造のＡＮＤ回路の各出力のＡＮＤ演算を行う燃料電池スタックＡＮＤ回路とをさらに備える、請求項１に記載の燃料電池システム。
【請求項５】
各燃料電池構造について、第１の端子および第２の端子を含む出力ならびにスイッチング端子を含む入力を有し、各燃料電池構造について、各燃料電池対オプトアイソレータの出力は、互いに直列に接続され、各燃料電池構造オプトアイソレータの該スイッチング端子を通るネガティブ基準電圧に接続され、各燃料電池構造オプトアイソレータの出力は、互いに直列に接続された、燃料電池構造オプトアイソレータと、
第１の端子および第２の端子を含む出力ならびにスイッチング端子を含む入力を有する燃料電池スタックオプトアイソレータであって、該燃料電池構造オプトアイソレータの最終オプトアイソレータの第２の端子は、該燃料電池スタックオプトアイソレータのスイッチング端子を通るネガティブ基準電圧に接続される、燃料電池スタックオプトアイソレータとをさらに備える、請求項１に記載の燃料電池システム。
【請求項６】
前記トランジスタが、ｐｎｐバイポーラ接合トランジスタであり、前記第１の端子はエミッタを形成し、前記第２の端子はコレクタを形成し、前記スイッチング端子は該ｐｎｐトランジスタのベースを形成する、請求項１に記載の燃料電池システム。
【請求項７】
前記トランジスタは、前記２つの燃料電池にかかる電圧に応答するように一対の燃料電池の間に接続された、請求項１に記載の燃料電池システム。
【請求項８】
前記燃料電池の一方に前記トランジスタの前記第１の端子を接続するように該トランジスタの該第１の端子に接続される第１のリードと、該燃料電池の他方に該スイッチング端子を接続するように該トランジスタの該スイッチング端子に接続される第２のリードとを含むコネクターをさらに備える、請求項１に記載の燃料電池システム。
【請求項９】
前記燃料電池構造が、直列に互いに電気的に接続された一対の固体ポリマー燃料電池を含む、請求項１に記載の燃料電池システム。
【請求項１０】
前記燃料電池構造は、直列に互いに電気的に接続された複数の燃料電池を含む、請求項１に記載の燃料電池システム。
【請求項１１】
前記燃料電池構造と前記トランジスタの前記スイッチング端子との間に接続される第１のベース抵抗と、
該燃料電池構造と該トランジスタの該スイッチング端子との間に接続される第２のベース抵抗とをさらに備える、請求項１に記載の燃料電池システム。
【請求項１２】
前記複数の燃料電池対オプトアイソレータの部分集合が、各部分集合に単一のデジタル信号を提供するために直列に接続され、
該トランジスタのセットに単一のデジタル信号を提供するために該燃料電池対オプトアイソレータの部分集合からの該デジタル信号と接続する複数のＡＮＤ回路をさらに備える、請求項１に記載の燃料電池システム。
【請求項１３】
燃料電池構造を形成する直列に電気的に接続される一対の燃料電池の間のトランジスタの第１の端子とスイッチング端子とを接続することと、
該燃料電池構造にかかる電圧が、閾値電圧より大きい場合に第１の指示を生成することと、
該燃料電池構造にかかる電圧が、該閾値電圧以下の場合に該第１の指示と異なる第２の指示を生成することを含む、燃料電池構造において燃料電池をモニタリングする方法。
【請求項１４】
オプトアイソレータに前記トランジスタの第２の端子を接続するステップと、
該トランジスタの前記第１の端子と該第２の端子との間を電流が通過する場合に、該オプトアイソレータをアクティブ化し、該トランジスタの該第１の端子と該第２との端子の間を電流が通過しない場合に、該オプトアイソレータのアクティブ化を解除することとをさらに含む、請求項１３に記載の方法。
【請求項１５】
燃料電池構造を形成する一対の燃料電池の間のトランジスタの第１の端子とスイッチング端子とを接続することは、
該燃料電池構造の燃料電池の一方のカソードに該第１の端子を接続し、該燃料電池構造他方の燃料電池のアノードに該スイッチング端子を接続することとを含む、請求項１３に記載の方法。
【請求項１６】
燃料電池構造を形成する一対の燃料電池の間のトランジスタの第１の端子とスイッチング端子とを接続することは、
該燃料電池構造の燃料電池の一方のカソードに該第１の端子を接続し、第１の抵抗器を通る該燃料電池構造の他方の燃料電池のアノードおよび第２の抵抗器を通る該燃料電池構造のカソードに該スイッチング端子を接続することとを含む、請求項１３に記載の方法。
【請求項１７】
燃料電池構造を形成する一対の燃料電池の間のトランジスタの第１の端子とスイッチング端子とを接続することは、
該燃料電池構造の該第１の燃料電池のカソードに第１の端子を接続し、第１の抵抗器を通る該燃料電池構造の第２の燃料電池のアノードおよび第２の抵抗器を通る第１の燃料電池のカソードに該スイッチング端子を接続することと、
０．８ボルトから０．８５ボルトの範囲の電圧にしきい値電圧を設定するために該第１の抵抗器の第１の抵抗ならびに該第２の抵抗器の第２の抵抗を選択することとを含む、請求項１３に記載の方法。
【請求項１８】
前記燃料電池構造の間の電圧が閾値電圧より大きい場合に第１の指示を生成することは、ＯＮおよびＯＦＦの指示の一方に対応する第１の電圧レベルを生成することを含み、該燃料電池構造の電圧が該閾値電圧以下になる場合に該第１の指示と異なる第２の指示を生成することは、該ＯＮおよびＯＦＦの指示の他方に対応する第２の電圧レベルを生成することを含む、請求項１３に記載の方法。